(57)【要約】【課題】  本発明は、インクを塗布する際に、インクを塗布する予定位置を確認し易くすることのできるペンを提供する。【解決手段】  本発明に係るペンは、外観棒状の軸部であって、インクを貯留するインク貯留部を含む軸部と、インクの塗布対象に対してインクを塗布するペン先部と、ペン先部を挿入状態で保持する筒状のペン先保持部と、ペン先保持部と軸部との間に配置された筒状の中間接続部であって、ペン先保持部及び軸部に対して直接的又は間接的に接続された中間接続部と、インク貯留部側からペン先部側にインクを誘導するインク誘導部とを備え、インク誘導部は、中間接続部に挿通されたインク中継体であって、インク貯留部からのインクをペン先部に供給するインク中継体を含み、中間接続部は、湾曲可能且つ湾曲状態で維持可能であり、インク中継体の少なくとも中間接続部内にある部位が湾曲可能である。【選択図】図２
2019205534.tif 000002
【特許請求の範囲】
【請求項１】
外観棒状の軸部であって、インクを貯留するインク貯留部を含む軸部と、インクの塗布対象に対してインクを塗布するペン先部と、ペン先部を挿入状態で保持する筒状のペン先保持部と、ペン先保持部と軸部との間に配置された筒状の中間接続部であって、ペン先保持部及び軸部に対して直接的又は間接的に接続された中間接続部と、インク貯留部側からペン先部側にインクを誘導するインク誘導部とを備え、インク誘導部は、中間接続部に挿通されたインク中継体であって、インク貯留部からのインクをペン先部に供給するインク中継体を含み、中間接続部は、湾曲可能且つ湾曲状態で維持可能であり、インク中継体の少なくとも中間接続部内にある部位が湾曲可能であることを特徴とするペン。
【請求項２】
中間接続部は、蛇腹状のフレキシブルチューブである請求項１に記載のペン。
【請求項３】
インク中継体は、ペン先部内に位置する第一端部とインク貯留部側の第二端部とを有し、少なくとも中間接続部内に位置する部位が湾曲可能である請求項１又は２に記載のペン。
【請求項４】
インク中継体は、第一端部を含む第一中継芯と、第二端部を含む第二中継芯と、第一中継芯と第二中継芯とを接続した中間部材とを含み、第一中継芯、第二中継芯、及び中間部材のそれぞれは、吸液性を有し、中間部材は、弾性変形可能である請求項１乃至３の何れか１項に記載のペン。
【請求項５】
インク中継体は、第一端部から第二端部の全長又は略全長に亘って吸液性を有し且つ弾性変形可能な棒状に形成される請求項１乃至３の何れか１項に記載のペン。
【請求項６】
インクを貯留するインク貯留部であって、ペンの外装を構成する外装体に覆われることで外装体とともにペンの軸部を構成するインク貯留部と、インクの塗布対象に対してインクを塗布するペン先部と、ペン先部を挿入状態で保持する筒状のペン先保持部と、ペン先保持部とインク貯留部との間に配置された筒状の中間接続部であって、ペン先保持部及びインク貯留部に対して直接的又は間接的に接続された中間接続部と、インク貯留部側からペン先部側にインクを誘導するインク誘導部とを備え、インク誘導部は、中間接続部に挿通されたインク中継体であって、インク貯留部からのインクをペン先部に供給するインク中継体を含み、中間接続部は、湾曲可能且つ湾曲状態で維持可能であり、インク中継体の少なくとも中間接続部内にある部位が湾曲可能であることを特徴とするペン用リフィル。
【請求項７】
中間接続部は、蛇腹状のフレキシブルチューブである請求項６に記載のペン用リフィル。
【請求項８】
インク中継体は、ペン先部内に位置する第一端部とインク貯留部側の第二端部とを有し、少なくとも中間接続部内に位置する部位が湾曲可能である請求項６又は７に記載のペン用リフィル。
【請求項９】
インク中継体は、第一端部を含む第一中継芯と、第二端部を含む第二中継芯と、第一中継芯と第二中継芯とを接続した中間部材とを含み、第一中継芯、第二中継芯、及び中間部材のそれぞれは、吸液性を有し、中間部材は、弾性変形可能である請求項６乃至８の何れか１項に記載のペン用リフィル。
【請求項１０】
インク中継体は、第一端部から第二端部の全長又は略全長に亘って吸液性を有し且つ弾性変形可能な棒状に形成される請求項６乃至８の何れか１項に記載のペン用リフィル。
【発明の詳細な説明】
【技術分野】
【０００１】
本発明は、筆記具や化粧具として用いられるペン及びペン用リフィルに関する。
【背景技術】
【０００２】
一般的に、筆記具や化粧具として用いられるペンは、インクを貯留したインク貯留部を含む棒状の軸部と、インクの塗布対象（以下、単に塗布対象という）に摺接されるインク塗布部を含むペン先部と、インク貯留部のインクをペン先部（インク塗布部）に誘導するインク誘導部とを備える（例えば、特許文献１参照）。
【０００３】
これに伴い、この種のペンに採用されるペン用リフィルは、インクを貯留するインク貯留部であって、ペンの外装を構成する外装体に覆われることで外装体とともにペンの軸部を構成するインク貯留部と、塗布対象に摺接されるインク塗布部を含むペン先部と、インク貯留部のインクをペン先部（インク塗布部）に誘導するインク誘導部とを備える。
【０００４】
これらにおいて、インク貯留部は、一方向に延びる。すなわち、インク貯留部は、一方向に延びる中心線を有する。
【０００５】
これに伴い、インク貯留部及びペン先部は、中心（中心線）同士を共通の仮想直線上に位置させるように直列に配置され、直接的又は間接的に接続される。
【０００６】
インク誘導部は、一方向に延びる棒状の中継芯を含む。中継芯は、一方向に第一端部と該第一端部の反対側の第二端部とを有し、第一端部をインク貯留部側に位置させ、第二端部をペン先部内に位置させる。これにより、中継芯は、インク貯留部のインクをインク貯留部からペン先部（インク塗布部）に誘導する。
【０００７】
これにより、上記構成のペン及びペン用リフィルは、インク塗布部を塗布対象に摺接させることにより、インク塗布部に誘導されたインク（インク塗布部に付着したインク）を塗布対象に塗布できる。
【０００８】
ところで、上記構成のペン及びペン用リフィルにおいて、ペン先部及びインク貯留部が中心（中心線）同士を共通の仮想直線上に位置させるように直列に配置され、直接的又は間接的に接続されるため、ペン先部は、インク貯留部（インク貯留部を含む軸部）に対して常に直列で維持する。
【０００９】
これに伴い、従来のペン及びペン用リフィルでは、インクを塗布する際、ペンの軸部（ペン用リフィルのインク貯留部）がインクを塗布する予定位置（以下、塗布予定位置という）に重なったり、ペンの軸部を持つ使用者の手が塗布予定位置に重なったりすることがある。
【００１０】
そのため、使用者が塗布予定位置を確認し難くなり、塗布予定位置に対してインクを適正に塗布できなかったり、塗布予定位置に対してインクを塗布し難くなったりすることがある。
【００１１】
特に、ペン（ペン用リフィル）が化粧具（例えば、アイライナー）として使用される場合、使用者は、鏡に映った自身の顔（例えば、目元）を見ながらインクを塗布予定位置に塗布する（アイラインを引く）ため、ペンの軸部（ペン用リフィルのインク貯留部）が塗布予定位置に重なったり、使用者の手（軸部を持つ手）が塗布予定位置に重なったりすると、目標（塗布予定位置）を認識し難くなり、適正にインクを塗布予定位置に塗布する（アイラインを引く）ことが困難になる。
【先行技術文献】
【特許文献】
【００１２】
【特許文献１】特開２０１６−７８３２４号公報
【発明の概要】
【発明が解決しようとする課題】
【００１３】
そこで、本発明は、インクを塗布する際に、インクを塗布する予定位置を確認し易くすることのできるペン及びペン用リフィルを提供することを課題とする。
【課題を解決するための手段】
【００１４】
本発明に係るペンは、外観棒状の軸部であって、インクを貯留するインク貯留部を含む軸部と、インクの塗布対象に対してインクを塗布するペン先部と、ペン先部を挿入状態で保持する筒状のペン先保持部と、ペン先保持部と軸部との間に配置された筒状の中間接続部であって、ペン先保持部及び軸部に対して直接的又は間接的に接続された中間接続部と、インク貯留部側からペン先部側にインクを誘導するインク誘導部とを備え、インク誘導部は、中間接続部に挿通されたインク中継体であって、インク貯留部からのインクをペン先部に供給するインク中継体を含み、中間接続部は、湾曲可能且つ湾曲状態で維持可能であり、インク中継体の少なくとも中間接続部内にある部位が湾曲可能であることを特徴とする。
【００１５】
上記構成によれば、中間接続部の形態を直線状態や湾曲状態にすることができ、この中間接続部の形態を変化させることで、中間接続部に接続されたペン先保持部及びペン先保持部に保持されたペン先部の中心を、軸部（インク貯留部）の中心と同心の状態にしたり、中間接続部に接続されたペン先保持部及びペン先保持部に保持されたペン先部の中心を、軸部（インク貯留部）の中心に対して傾斜方向に延びた状態にしたりすることができる。すなわち、ペン先部が軸部の中心に対して同一方向或いは異なる方向に延びた姿勢になる。
【００１６】
これにより、インクを塗布する予定位置にペン先部を沿わした状態で、軸部及び該軸部を持つ使用者の手がインクを塗布する予定位置からずれた位置に配置される。従って、上記構成のペンは、インクを塗布するに際し、インクを塗布する予定位置の確認を容易に行うことができる。
【００１７】
そして、上記構成のペンにおいて、インク誘導部は、中間接続部に挿通されたインク中継体であって、インク貯留部からのインクをペン先部に供給するインク中継体を含み、インク中継体の少なくとも中間接続部内にある部位が湾曲可能である。これにより、インク中継体は、中間接続部の形態に即した形態になり、中間接続部の形態の変更を阻害することもなく、インクを適正にペン先部まで供給（誘導）する。
【００１８】
従って、上記構成のペンは、ペン先部が軸部の中心に対して同一方向或いは異なる方向に延びた姿勢にされても、インク塗布部を塗布対象に摺接させることにより、インク塗布部に誘導されたインク（インク塗布部に付着したインク）を塗布対象に塗布できる。
【００１９】
本発明の一態様として、中間接続部は、蛇腹状のフレキシブルチューブであってもよい。上記構成によれば、構造を複雑化させることなく、ペン先部の配置を使用者にとって使い勝手のよい配置にすることができる。
【００２０】
本発明の他態様として、インク中継体は、ペン先部内に位置する第一端部とインク貯留部側の第二端部とを有し、少なくとも中間接続部内に位置する部位が湾曲可能であってもよい。
【００２１】
このようにすれば、中間接続部の形態の変化に応じてインク中継体も形態を変化させる。これにより、ペン先部の配置を使用者の使用し易い配置にできるだけでなく、インク貯留部のインクの誘導（供給）も確実に行うことができる。
【００２２】
この場合、インク中継体は、第一端部を含む第一中継芯と、第二端部を含む第二中継芯と、第一中継芯と第二中継芯とを接続した中間部材とを含み、第一中継芯、第二中継芯、及び中間部材のそれぞれは、吸液性を有し、中間部材は、弾性変形可能であってもよい。
【００２３】
上記構成によれば、第一中継芯とペン先部との相対位置が一定となるとともに、第二中継芯とインク貯留部との相対位置が一定になるため、第一中継芯によるペン先部へのインク供給（誘導）や、第二中継芯によるインク貯留部内のインクの供給が安定する。また、中間部材が弾性変形可能であるため、ペン先部の配置の変更が許容される。
【００２４】
また、インク中継体は、第一端部から第二端部の全長又は略全長に亘って吸液性を有し且つ弾性変形可能な棒状に形成されてもよい。このようにすれば、インク中継体が第一端部から第二端部まで連続した一つの部材で構成されるため、インクの誘導がスムーズになる。
【００２５】
本発明に係るペン用リフィルは、インクを貯留するインク貯留部であって、ペンの外装を構成する外装体に覆われることで外装体とともにペンの軸部を構成するインク貯留部と、インクの塗布対象に対してインクを塗布するペン先部と、ペン先部を挿入状態で保持する筒状のペン先保持部と、ペン先保持部とインク貯留部との間に配置された筒状の中間接続部であって、ペン先保持部及びインク貯留部に対して直接的又は間接的に接続された中間接続部と、インク貯留部側からペン先部側にインクを誘導するインク誘導部とを備え、インク誘導部は、中間接続部に挿通されたインク中継体であって、インク貯留部からのインクをペン先部に供給するインク中継体を含み、中間接続部は、湾曲可能且つ湾曲状態で維持可能であり、インク中継体の少なくとも中間接続部内にある部位が湾曲可能であることを特徴とする。
【００２６】
上記構成によれば、中間接続部の形態を直線状態や湾曲状態にすることができ、この中間接続部の形態を変化させることで、中間接続部に接続されたペン先保持部及びペン先保持部に保持されたペン先部の中心を、軸部（インク貯留部）の中心と同心の状態にしたり、中間接続部に接続されたペン先保持部及びペン先保持部に保持されたペン先部の中心を、軸部（インク貯留部）の中心に対して傾斜方向に延びた状態にしたりすることができる。すなわち、ペン先部が軸部の中心に対して同一方向或いは異なる方向に延びた姿勢になる。
【００２７】
これにより、インクを塗布する予定位置にペン先部を沿わした状態で、軸部及び該軸部を持つ使用者の手がインクを塗布する予定位置からずれた位置に配置される。従って、上記構成のペンは、インクを塗布するに際し、インクを塗布する予定位置の確認を容易に行うことができる。
【００２８】
そして、上記構成のペン用リフィルにおいて、インク誘導部は、中間接続部に挿通されたインク中継体であって、インク貯留部からのインクをペン先部に供給するインク中継体を含み、インク中継体の少なくとも中間接続部内にある部位が湾曲可能である。これにより、インク中継体は、中間接続部の形態に即した形態になり、中間接続部の形態の変更を阻害することもなく、インクを適正にペン先部まで供給（誘導）する。
【００２９】
従って、上記構成のペン用リフィルは、ペン先部が軸部の中心に対して同一方向或いは異なる方向に延びた姿勢にされても、インク塗布部を塗布対象に摺接させることにより、インク塗布部に誘導されたインク（インク塗布部に付着したインク）を塗布対象に塗布できる。
【００３０】
本発明の一態様として、中間接続部は、蛇腹状のフレキシブルチューブであってもよい。上記構成によれば、構造を複雑化させることなく、ペン先部の配置を使用者にとって使い勝手のよい配置にすることができる。
【００３１】
本発明の他態様として、インク中継体は、ペン先部内に位置する第一端部とインク貯留部側の第二端部とを有し、少なくとも中間接続部内に位置する部位が湾曲可能であってもよい。
【００３２】
このようにすれば、中間接続部の形態の変化に応じてインク中継体も形態を変化させる。これにより、ペン先部の配置を使用者の使用し易い配置にできるだけでなく、インク貯留部のインクの誘導（供給）も確実に行うことができる。
【００３３】
この場合、インク中継体は、第一端部を含む第一中継芯と、第二端部を含む第二中継芯と、第一中継芯と第二中継芯とを接続した中間部材とを含み、第一中継芯、第二中継芯、及び中間部材のそれぞれは、吸液性を有し、中間部材は、弾性変形可能であってもよい。
【００３４】
上記構成によれば、第一中継芯とペン先部との相対位置が一定となるとともに、第二中継芯とインク貯留部との相対位置が一定になるため、第一中継芯によるペン先部へのインク供給（誘導）や、第二中継芯によるインク貯留部内のインクの供給が安定する。また、中間部材が弾性変形可能であるため、ペン先部の配置の変更が許容される。
【００３５】
また、インク中継体は、第一端部から第二端部の全長又は略全長に亘って吸液性を有し且つ弾性変形可能な棒状に形成されてもよい。このようにすれば、インク中継体が第一端部から第二端部まで連続した一つの部材で構成されるため、インクの誘導がスムーズになる。
【発明の効果】
【００３６】
本発明によれば、インクを塗布する際に、インクを塗布する予定位置を確認し易くすることができるという優れた効果を奏し得る。
【図面の簡単な説明】
【００３７】
【図１】図１は、本発明の一実施形態に係るペン（ペン本体）の全体図である。
【図２】図２は、同実施形態に係るペン（ペン本体）の断面図である。
【図３】図３は、同実施形態に係るペン（ペン本体）の部分拡大断面図である。
【図４】図４は、同実施形態に係るペン（ペン本体）の中間接続部を湾曲させた状態の断面図である。
【図５】図５は、本発明の他実施形態に係るペン（ペン本体）の部分拡大断面図である。
【図６】図６は、図５に示すペン（ペン本体）の中間接続部を湾曲させた状態の断面図である。
【発明を実施するための形態】
【００３８】
以下、本発明の一実施形態について、添付図面を参照しつつ説明する。なお、本発明は、筆記具や化粧具として用いられるペン及びペン用リフィルを対象とするが、本実施形態においては、化粧具であるアイライン用のペンを一例に説明することとする。
【００３９】
図１及び図２に示す如く、本実施形態に係るペン１は、インクの塗布対象（以下、単に塗布対象という）にインクを塗布するためのペン先部６及びペン先部６に接続された軸部１０を含むペン本体２と、ペン本体２の少なくともペン先部６を覆うキャップ（図示しない）とを備える。
【００４０】
ペン本体２は、図２に示す如く、外装体３と、ペン用リフィル（以下、単にリフィルという。）４とを備える。
【００４１】
外装体３は、一端と該一端の反対側の他端とを有する筒状の胴軸部３０と、胴軸部３０の一端を閉塞する尻部３１とを備える。
【００４２】
リフィル４は、インク（採番しない）を貯留するインク貯留部５であって、ペン１の外装を構成する外装体３に覆われることで外装体３とともにペン１の軸部１０を構成するインク貯留部５と、インクの塗布対象に対してインクを塗布するペン先部６と、ペン先部６を挿入状態で保持する筒状のペン先保持部７と、ペン先保持部７とインク貯留部５との間に配置された筒状の中間接続部８であって、ペン先保持部７及びインク貯留部５に対して直接的又は間接的に接続された中間接続部８と、インク貯留部５側からペン先部６側にインクを誘導するインク誘導部９とを備える。
【００４３】
インク貯留部５は、インクを収容する内部空間Ｓを画定した周壁部５０を有する。より具体的に説明すると、本実施形態のインク貯留部５は、一端と該一端の反対側の他端とを有する筒状の周壁部５０と、周壁部５０の一端を閉塞する閉塞部５１とを備える。これにより、インク貯留部５は、周壁部５０及び閉塞部５１によって閉じられた内部空間Ｓを有する。本実施形態において、インク貯留部５の内部空間Ｓには、液状のインクが充填される。
【００４４】
本実施形態において、中心線（図示しない）の延びる方向におけるインク貯留部５の周壁部５０の長さは、同方向における外装体３の胴軸部３０の長さよりも短い。これにより、外装体３の胴軸部３０は、後述するホルダー９３を内装する収容スペースＳ２を確保する。すなわち、外装体３の胴軸部３０は、インク貯留部５を収容する第一スペースＳ１と、中心線の延びる方向において第一スペースＳ１と横並びに配置される第二スペースＳ２であって、ホルダー９３を収容する第二スペースＳ２とを画定する。本実施形態において、第一スペースＳ１は、尻部３１側（胴軸部３０の一端側）の領域とされ、第二スペースＳ２は、胴軸部３０の他端側の領域とされる。
【００４５】
図２及び図３に示す如く、ペン先部６は、インクを塗布対象に塗布する際に、塗布対象に摺接するインク塗布部６０を含む。本実施形態において、ペン先部６は、複数（多数）の毛（採番しない）を束ねた毛束により構成される。ペン先部６（毛束）は、毛の延びる方向の一端側が他端側よりも先細りになるように形成され、この先細りした一端側がインク塗布部６０とされる。
【００４６】
ペン先保持部７は、ペン先部６のインク塗布部６０を露出させつつペン先部６を保持可能に構成される。
【００４７】
具体的に説明すると、ペン先保持部７は、図３に示す如く、ペン先部６（毛束）を挿通させる貫通孔７０を有し、該貫通孔７０に対してペン先部６が先端側（インク塗布部６０側）を外部に延出させるようにして挿通されている。これに伴い、ペン先保持部７は、基端と該基端の反対側の先端とを有し、先端からインク塗布部６０を延出させつつ、基端側でペン先部６（毛束）の他端側を保持する。
【００４８】
中間接続部８は、湾曲可能且つ湾曲状態で維持可能に構成される。本実施形態において、中間接続部８には、蛇腹状のフレキシブルチューブが採用される。
【００４９】
中間接続部（フレキシブルチューブ）８は、第一端と該第一端の反対側の第二端とを有する。中間接続部８の第一端の外径は、ペン先保持部７の基端の外径と対応している。本実施形態において、中間接続部８の第二端の外径は、ホルダー９３の外径と対応している。
【００５０】
これに伴い、中間接続部８の第一端は、ペン先保持部７の基端部に同心で接続され、中間接続部８の第二端は、ホルダー９３に同心で接続される。
【００５１】
本実施形態において、中間接続部８の第一端を含む端部は、ペン先保持部７に対して螺合により接続される。これに対し、中間接続部８の第二端を含む端部は、ホルダー９３に対して嵌合により接続される。また、本実施形態において、中間接続部８の第二端を含む端部は、外装体３（胴軸部３０）に対して螺合により接続されている。
【００５２】
インク誘導部９は、中間接続部８に挿通されたインク中継体９０であって、インク貯留部５からのインクをペン先部６に供給するインク中継体９０を含む。
【００５３】
より具体的には、本実施形態に係るペン１（リフィル４）において、インク誘導部９は、インク中継体９０と、インク中継体９０にインク貯留部５のインクを供給するインク吸蔵体９１と、ペン先部６に対するインク中継体９０のインク供給量を調整するコレクタ９２と、インク吸蔵体９１及びコレクタ９２を保持するホルダー９３とを含む。
【００５４】
本実施形態において、インク中継体９０は、第一端部を含む第一中継芯９０ａと、第二端部を含む第二中継芯９０ｂと、第一中継芯９０ａと第二中継芯９０ｂとを接続した中間部材９０ｃとを含む。
【００５５】
第一中継芯９０ａ、第二中継芯９０ｂ、及び中間部材９０ｃのそれぞれは、吸液性を有する。
【００５６】
第一中継芯９０ａ及び第二中継芯９０ｂのそれぞれは、吸液性に優れた素材（発泡性樹脂や繊維材）を棒状に成型したものである。これに伴い、第一中継芯９０ａ及び第二中継芯９０ｂのそれぞれは、第一端部と該第一端部の反対側の第二端部とを有する。
【００５７】
第一中継芯９０ａ及び第二中継芯９０ｂのそれぞれには、インクを流通させるインク流通路（図示しない）が外面又は内部に第一端部から第二端部まで連続して形成される。なお、インク流通路は、微細な溝、或いは、微小な連続孔（気泡）により構成される
【００５８】
第一中継芯９０ａ及び第二中継芯９０ｂは、一方向に延びる仮想直線上に配置される。第一中継芯９０ａの第一端部は、インク中継体９０の第一端部を構成し、ペン先部６内に位置する。これに対し、第一中継芯９０ａの第二端部は、中間部材９０ｃ内に位置する。第二中継芯９０ｂの第一端部は、中間部材９０ｃ内に位置する。これに対し、第二中継芯９０ｂの第二端部は、インク中継体９０の第二端部を構成し、インク吸蔵体９１内に位置する。
【００５９】
中間部材９０ｃは、弾性変形可能に形成される。中間部材９０ｃは、連続気泡を有する。ここでは、中間部材９０ｃは、樹脂材料で成型される。具体的には、中間部材９０ｃは、ウレタン樹脂で成型される。なお、中間部材９０ｃの連続気泡は、樹脂材料（本実施形態においてはウレタン樹脂）に混ぜられた添加剤（本実施形態においては、塩化ナトリウム）を成型後に除去（本実施形態においては、塩化ナトリウム（塩）を除去する塩抜き）を行うことで形成される。
【００６０】
上記構成のインク中継体９０は、中間接続部８との間に空間を作って該中間接続部８に挿通されている。これにより、本実施形態に係るインク中継体９０は、中間接続部８内で拘束されることなく、該中間接続部８内にある中間部材９０ｃで湾曲可能になっている。
【００６１】
インク吸蔵体９１は、綿やフェルト等の吸液性を有する繊維材で構成される。本実施形態において、インク吸蔵体９１は、棒状に成形される。インク吸蔵体９１のインクの最大吸蔵量は、インク貯留部５におけるインクの最大貯留量よりも小さく設定されている。本実施形態において、インク吸蔵体９１のインクの最大吸蔵量は、インク貯留部５のインクの最大貯留量の０．０３倍〜０．１５倍に設定されている。
【００６２】
コレクタ９２は、万年筆等の直液式のペン１に採用される所謂羽状調節体である。コレクタ９２は、インク吸蔵体９１に対して横並びに配置される。これに伴い、コレクタ９２には、第二端部をインク吸蔵体９1内に位置させた第二中継芯９０ｂが挿通される。これにより、インク中継体９０（第二中継芯９０ｂ）に対する過剰なインク供給を抑制する。
【００６３】
ホルダー９３は、筒状に形成され、一方向に第一端部と該第一端部の反対側の第二端部とを有する。ホルダー９３は、第一端部をペン先部６側に位置させるとともに第二端部をインク貯留部５側に位置させた状態で、外装体３（胴軸部３０）の第二スペースＳ２に配置される。これに伴い、ホルダー９３の第二端部は、インク貯留部５の周壁部５０に対して同心又は略同心で接続される。本実施形態において、ホルダー９３の第二端部は、インク貯留部５の周壁部５０に対して嵌着されている。これにより、本実施形態に係るペン１（リフィル４）において、中間接続部８は、ホルダー９３を介してインク貯留部５に対して接続されている。
【００６４】
ホルダー９３が筒状に形成されるに伴い、ホルダー９３は、中心線の延びる方向の第一端部側の領域において、コレクタ９２を収容するコレクタ収容領域９３ａを画定し、中心線の延びる方向の第二端部側の領域において、インク吸蔵体９１を収容する吸蔵体収容領域９３ｂを画定する。これにより、吸蔵体収容領域９３ｂに収容されたインク吸蔵体９１は、インク貯留部５と隣接し、コレクタ収容領域９３ａに収容されたコレクタ９２は、ペン先部６側でインク吸蔵体９１と隣接する。
【００６５】
そして、筒状のホルダー９３がインク貯留部５の周壁部５０に嵌着されることで、ホルダー９３の第二端部は、インク貯留部５内に向けて開放している。これに伴い、吸蔵体収容領域９３ｂに収容されたインク吸蔵体９１の一部がインク貯留部５内に露出する。これにより、インク吸蔵体９１は、インク貯留部５内のインクを吸蔵し、該インクをインク中継体９０（第二中継芯９０ｂ）に供給する。
【００６６】
リフィル４は、以上の通りであり、インク誘導部９の一部（インク吸蔵体９１、コレクタ９２、ホルダー９３）及びインク貯留部５が外装体３（胴軸部３０）に覆われた状態で、外装体３に接続される。この状態において、リフィル４は、ペン先部６のインク塗布部６０、ペン先保持部７、及び中間接続部８を外装体３から外部に露出させている。これにより、本実施形態に係るペン１（ペン本体２）において、外装体３が使用者の把持部分としての軸部１０を構成する。すなわち、軸部１０は、外装体３及びこれに覆われたインク貯留部５等によって構成される。
【００６７】
本実施形態に係るペン１（リフィル４）は、以上の通りであり、次に作用について説明する。
【００６８】
上記構成のペン１（リフィル４）において、インク貯留部５のインクは、インク誘導部９を介してペン先部６まで誘導される。
【００６９】
具体的には、インク貯留部５のインクは、インク吸蔵体９１に吸蔵され、インク吸蔵体９１内にあるインク中継体９０の第二端部に供給される。本実施形態において、インク中継体９０を構成する第二中継芯９０ｂがインク吸蔵体９１内に位置するため、インク吸蔵体９１に吸蔵されたインクは第二中継芯９０ｂに供給される。そして、第二中継芯９０ｂに供給されたインクは、第二中継芯９０ｂに沿って中間部材９０ｃ側に供給される。
【００７０】
本実施形態においては、第二中継芯９０ｂがコレクタ９２に挿通されているため、コレクタ９２がインク吸蔵体９１からの過剰なインク（第二中継芯９０ｂに供給される過剰なインク）を吸収（保持）し、適量のインクが第二中継芯９０ｂに沿って中間部材９０ｃに到達する。中間部材９０ｃに到達した適量のインクは、第一中継芯９０ａに供給され、第一中継芯９０ａに到達したインクは、ペン先部６（インク塗布部６０）に対して適量で供給される。
【００７１】
これにより、塗布対象に対してペン先部６（インク塗布部６０）を接触（摺接）させることにより、塗布対象に対して適量のインクが塗布される。
【００７２】
このようにインクを塗布対象に対して塗布する（例えば、アイラインを引く）にあたり、ペン１の軸部１０（リフィル４のインク貯留部５）がインクを塗布する予定位置（以下、塗布予定位置という）に重なったり、使用者の手（軸部１０を持つ手）が塗布予定位置に重なったりする場合には、図４に示す如く、中間接続部８を適宜湾曲させる或いは好みに応じて湾曲させる。そうすると、軸部１０の中心線に対してペン先部６の中心線が傾斜した態様となる。すなわち、軸部１０に対するペン先部６の延出方向が、軸部１０の延びる方向と異なる方向になる。
【００７３】
これにより、ペン先部６を塗布予定位置に沿わした状態で、軸部１０及び該軸部１０を持つ使用者の手が塗布予定位置からずれた位置に配置され、使用者が塗布予定位置の確認を容易に行うことができる。
【００７４】
また、軸部１０がペン先部６の延出する方向と異なる方向に延びるため、軸部１０の位置（配置）を塗布予定位置から外れた位置にするために、使用者が無理な体勢（姿勢）でペン１を持つ必要もなくなる。すなわち、使用者が楽な体勢（姿勢）でペン１を持っても、使用者が塗布予定位置の確認を容易に行うことができる。
【００７５】
そして、本実施形態に係るペン１（リフィル４）においては、インク中継体９０の少なくとも中間接続部８内にある部位（中間部材９０ｃ）が湾曲可能であるため、中間接続部８の形態に即した形態になり、中間接続部８の形態の変更を阻害することなくインクを適正にペン先部６まで誘導する。
【００７６】
従って、本実施形態に係るペン１は、ペン先部６が軸部１０の中心に対して同一方向或いは異なる方向に延びた姿勢にされても、インク塗布部６０を塗布対象に摺接させることにより、インク塗布部６０の外面に誘導されたインク（インク塗布部６０に付着したインク）を塗布対象に塗布できる。
【００７７】
以上のように、本実施形態に係るペン１は、外観棒状の軸部１０であって、インクを貯留するインク貯留部５を含む軸部１０と、インクの塗布対象に対してインクを塗布するペン先部６と、ペン先部６を挿入状態で保持する筒状のペン先保持部７と、ペン先保持部７と軸部１０との間に配置された筒状の中間接続部８であって、ペン先保持部７及び軸部１０に対して直接的又は間接的に接続された中間接続部８と、インク貯留部５側からペン先部６側にインクを誘導するインク誘導部９とを備え、インク誘導部９は、中間接続部８に挿通されたインク中継体９０であって、インク貯留部５からのインクをペン先部６に供給するインク中継体９０を含み、中間接続部８は、湾曲可能且つ湾曲状態で維持可能であり、インク中継体９０の少なくとも中間接続部８内にある部位が湾曲可能である。
【００７８】
すなわち、本実施形態に係るペン１に採用されるリフィル４は、インクを貯留するインク貯留部５であって、ペン１の外装を構成する外装体３に覆われることで外装体３とともにペン１の軸部１０を構成するインク貯留部５と、インクの塗布対象に対してインクを塗布するペン先部６と、ペン先部６を挿入状態で保持する筒状のペン先保持部７と、ペン先保持部７とインク貯留部５との間に配置された筒状の中間接続部８であって、ペン先保持部７及びインク貯留部５に対して直接的又は間接的に接続された中間接続部８と、インク貯留部５側からペン先部６側にインクを誘導するインク誘導部９とを備え、インク誘導部９は、中間接続部８に挿通されたインク中継体９０であって、インク貯留部５からのインクをペン先部６に供給するインク中継体９０を含み、中間接続部８は、湾曲可能且つ湾曲状態で維持可能であり、インク中継体９０の少なくとも中間接続部８内にある部位が湾曲可能である。
【００７９】
上記構成によれば、中間接続部８の形態を直線状態や湾曲状態にすることができ、この中間接続部８の形態を変化させることで、中間接続部８に接続されたペン先保持部７及びペン先保持部７に保持されたペン先部６の中心を、軸部１０（インク貯留部５）の中心と同心の状態にしたり、中間接続部８に接続されたペン先保持部７及びペン先保持部７に保持されたペン先部６の中心を、軸部１０（インク貯留部５）の中心に対して傾斜方向に延びた状態にしたりすることができる。すなわち、ペン先部６が軸部１０の中心に対して同一方向或いは異なる方向に延びた姿勢になる。
【００８０】
これにより、ペン先部６を塗布予定位置に沿わした状態で、軸部１０及び該軸部１０を持つ使用者の手が塗布予定位置からずれた位置に配置される。従って、上記構成のペン１は、インクを塗布するに際し、塗布予定位置の確認を容易に行うことができる。
【００８１】
そして、上記構成のペン１及びリフィル４において、インク誘導部９は、中間接続部８に挿通されたインク中継体９０であって、インク貯留部５からのインクをペン先部６に供給するインク中継体９０を含み、インク中継体９０は、少なくとも中間接続部８内にある部位が湾曲可能である。これにより、インク中継体９０は、中間接続部８の形態に即した形態になり、中間接続部８の形態の変更を阻害することもなく、インクを適正にペン先部６まで供給（誘導）する。
【００８２】
従って、上記構成のペン１及びリフィル４は、ペン先部６が軸部１０の中心に対して同一方向或いは異なる方向に延びた姿勢にされても、インク塗布部６０を塗布対象に摺接させることにより、インク塗布部６０の外面に誘導されたインク（インク塗布部６０に付着したインク）を塗布対象に塗布できる。
【００８３】
本実施形態において、中間接続部８は、蛇腹状のフレキシブルチューブである。従って、上記構成によれば、構造を複雑化させることなく、ペン先部６の配置を使用者にとって使い勝手のよい配置にすることができる。
【００８４】
また、本実施形態において、インク中継体９０は、ペン先部６内に位置する第一端部とインク貯留部５側の第二端部とを有し、少なくとも中間接続部８内に位置する部位が湾曲可能であるため、中間接続部８の形態の変化に応じてインク中継体９０も形態を変化させる。これにより、ペン先部６の配置を使用者の使用し易い配置にできるだけでなく、インク貯留部５のインクの誘導（供給）も確実に行うことができる。
【００８５】
特に、本実施形態において、インク中継体９０は、第一端部を含む第一中継芯９０ａと、第二端部を含む第二中継芯９０ｂと、第一中継芯９０ａと第二中継芯９０ｂとを接続した中間部材９０ｃとを含み、第一中継芯９０ａ、第二中継芯９０ｂ、及び中間部材９０ｃのそれぞれは、吸液性を有し、中間部材９０ｃは、弾性変形可能である。
【００８６】
このようにすれば、第一中継芯９０ａとペン先部６との相対位置が一定となるとともに、第二中継芯９０ｂとインク貯留部５との相対位置が一定になるため、第一中継芯９０ａによるペン先部６へのインク供給（誘導）や、第二中継芯９０ｂによるインク貯留部５内のインクの供給が安定する。また、中間部材９０ｃが弾性変形可能であるため、ペン先部６の配置の変更が許容される。
【００８７】
なお、本発明は、上記実施形態に限定されるものではなく、本発明の要旨を逸脱しない範囲で適宜変更可能である。
【００８８】
上記実施形態において、化粧具としてのアイライン用のペン１について説明したが、これに限定されるものではない。例えば、アイライン用以外の化粧具としてのペンであってもよい。また、化粧具としてのペンに限定されるものではなく、例えば、筆記を行うための筆記具（文具）としてのペン１であっても勿論よい。従って、ペン１に用いられるリフィル４も、筆記具として用いられるペン用リフィルであっても勿論よい。
【００８９】
上記実施形態において、特に言及しなかったが、リフィル４は、外装体３（胴軸部３０）に固着されてもよいし、外装体３（胴軸部３０）に対して着脱可能（交換可能）に取り付けられてもよい。
【００９０】
また、外装体３（胴軸部３０）にリフィル４が取り付けられたペン１に限定されるものではなく、例えば、インク貯留部５そのものが軸部１０を構成するペン１であってもよい。すなわち、リフィル４の有する構成のみを備えたペン１であってもよい。
【００９１】
上記実施形態において、インク誘導部９が、インク吸蔵体９１、コレクタ９２及びホルダー９３を含んだが、これに限定されない。例えば、インク誘導部９がインク中継体９０のみを含んでいてもよい。すなわち、インク誘導部９がインク中継体９０そのものであってもよい。
【００９２】
また、インク誘導部９は、中間接続部８に挿通されるインク中継体９０を含むことを前提に、インク吸蔵体９１又はコレクタ９２の何れか一方と、該一方を保持するホルダー９３とを含んでもよい。これらの何れにおいても、インク中継体９０によってインク貯留部５のインクがペン先部６に供給される。
【００９３】
また、インク貯留部５は、内部空間Ｓ全体に充填されたインク吸蔵材にインクを吸蔵させたものや、内部空間Ｓの所定領域に液状のインクを充填し、内部空間Ｓの残りの領域に充填された吸液性を有するインク吸蔵材にインクを吸蔵させたもの等であってもよい。
【００９４】
上記実施形態において、インク中継体９０は、第一端部を含む第一中継芯９０ａと、第二端部を含む第二中継芯９０ｂと、第一中継芯９０ａと第二中継芯９０ｂとを接続した中間部材９０ｃとを含んだが、これに限定されない。例えば、インク中継体９０は、図５に示す如く、第一端部から第二端部の全長又は略全長に亘って吸液性を有し且つ弾性変形可能な棒状に形成されてもよい。このようにしても、図６に示す如く、中間接続部８の形態の変化に応じてインク中継体９０も形態を変化させるため、ペン先部６の配置を使用者の使用し易い配置にできるだけでなく、インク貯留部５のインクの誘導（供給）も確実に行うことができる。
【００９５】
上記実施形態において、インク中継体９０は、中間接続部８との間（当該インク中継体９０自身の周囲）に空間をつくるように該中間接続部８内に挿通された（中間接続部８内で露出していた）が、これに限定されない。例えば、インク誘導部９は、中間接続部８内（ペン先部６とインク貯留部５との間）にあるインク中継体９０を被覆する被覆部材を備えてもよい。
【００９６】
但し、インク中継体９０は、少なくとも中間接続部８内で弾性変形しなければならないため、被覆部材には、例えば、弾性変形可能なチューブ等が採用されてもよい。すなわち、インク中継体９０は、中間接続部８に追従して弾性変形可能であれば、中間接続部８内で露出していてもよいし、中間接続部８内で被覆部材によって被覆されていてもよい。なお、被覆部材が弾性変形可能であれば、中間接続部８とインク中継体９０との間の空間を被覆部材が埋めていてもよい。但し、中間接続部８が湾曲可能で且つ湾曲状態を維持可能となるようにすることが前提である。
【００９７】
上記実施形態において、中間接続部８が蛇腹状のフレキシブルチューブで構成されたが、これに限定されない。中間接続部８は、直線状態及び湾曲状態（曲げ状態）での保形性を有していれば、円筒状や角筒状のチューブであってもよい。すなわち、中間接続部８は、筒状であることを前提に、湾曲可能且つ湾曲状態で維持可能であればよい。なお、中間接続部８の保形性は、中間接続部８の素材を選定することでも得られるが、それ以外に、中間接続部８の実態部分（筒状の中実部分）の内部等に針金等の塑性変形可能な芯材（線材）を中心線の延びる方向に配置することでも得られる。この場合、複数の芯材を中間接続部８の周方向に間隔をあけて配置することが好ましい。
【符号の説明】
【００９８】
１…ペン、２…ペン本体、３…外装体、４…リフィル（ペン用リフィル）、５…インク貯留部、６…ペン先部、７…ペン先保持部、８…中間接続部、９…インク誘導部、１０…軸部、３０…胴軸部、３１…尻部、５０…周壁部、５１…閉塞部、６０…インク塗布部、７０…貫通孔、９０…インク中継体、９０ａ…第一中継芯、９０ｂ…第二中継芯、９０ｃ…中間部材、９１…インク吸蔵体、９２…コレクタ、９３…ホルダー、９３ａ…コレクタ収容領域、９３ｂ…吸蔵体収容領域、Ｓ…内部空間、Ｓ１…第一スペース、Ｓ２…第二スペース
【図１】
2019205534.tif 000003
【図２】
2019205534.tif 000004
【図３】
2019205534.tif 000005
【図４】
2019205534.tif 000006
【図５】
2019205534.tif 000007
【図６】
2019205534.tif 000008